(57)【特許請求の範囲】
【請求項１】
第一の表示部と、
スライド保持部を備えた、単一または複数の第二の表示部と、
前記第二の表示部が移動するレールと、
前記第二の表示部を前記第一の表示部と隣接する位置にガイドするガイド部と、
前記ガイド部でガイドされた前記第二の表示部を前記第一の表示部と隣接する位置に固定するロック機構とを備え、
前記レールを移動して引き出された前記第二の表示部が回動されると、前記スライド保持部が前記レールとの間に設けたばねにより前記第二の表示部の表示面方向に付勢されて前記ガイド部に沿って移動し、前記第二の表示部を前記第一の表示部と隣接する位置に到達させ、前記ロック機構により前記第二の表示部を該位置に固定することを特徴とする表示装置。
【請求項２】
前記レールにロック板を備え、該ロック板で前記第一の表示部と隣接する位置に到達した前記第二の表示部を固定することを特徴とする請求項１に記載の表示装置。
【請求項３】
前記第二の表示部は、前記第一の表示部の背面側に収納され、前記第一の表示部の側面の双方に移動して配置されることを特徴とする請求項１または請求項２に記載の表示装置。
【請求項４】
第一の表示部を備える第一の筐体と、
スライド保持部を備えた第二の表示部を備える第二の筐体と、
前記第二の筐体が移動するレールと、
前記第二の筐体の前記第二の表示部を前記第一の表示部と隣接する位置にガイドするガイド部と、
前記ガイド部でガイドされた前記第二の筐体の前記第二の表示部を前記第一の表示部と隣接する位置に固定するロック機構とを備え、
前記レールを移動して引き出された前記第二の筐体が回動されると、前記スライド保持部が前記レールとの間に設けたばねにより前記第二の表示部の表示面方向に付勢されて前記ガイド部に沿って移動し、前記第二の表示部を前記第一の表示部と隣接する位置に到達させ、前記ロック機構により前記第二の表示部を該位置に固定することを特徴とする携帯端末装置。
【発明の詳細な説明】
【技術分野】
【０００１】
本開示の構成は、情報表示に用いられる複数の表示部を備える表示装置および携帯端末装置に関する。
【背景技術】
【０００２】
携帯端末装置など携行される電子機器には、携帯に適した外観形態としてたとえば、小型化が求められる。装置筐体が小型化されると、表示部の画面サイズも小さくなる。表示機能としては、一画面で多量の情報表示が求められる。表示画面にはタッチにより情報入力を行えるタッチパネルが設置される。
【０００３】
斯かる装置の小型化と情報表示に関し、液晶表示部に対してスライドする二つの可動筐体を備え、一方の可動筐体に応じて他方の可動筐体を移動させる構造が知られている（たとえば、特許文献１）。
【０００４】
電子機器が第１のケースと第２のケースとを備え、これらケース間にスライド板を設け、第１のケースをスライド板の上面側で、第２のケースをスライド板の下面側でスライドさせる構造が知られている（たとえば、特許文献２）。
【０００５】
電子機器にベース体を備え、このベース体に第１および第２の筐体をスライド可能に支持させ、付勢機構、係止機構および係止解除機構を備えることが知られている（たとえば、特許文献３）。この構成では、付勢機構がスライド可能な第１の筐体を一方向に付勢し、係止機構は第２の筐体を第１の筐体に係止する。係止解除機構は第２の筐体の係止を解除する。
【先行技術文献】
【特許文献】
【０００６】
【特許文献１】特開２０１０−４５５５７号公報
【特許文献２】特開２００５−１４２７２８号公報
【特許文献３】特開２０１０−１５４１４９号公報
【発明の概要】
【発明が解決しようとする課題】
【０００７】
ところで、携帯端末装置などの電子機器では、携帯性を重視して表示部の画面サイズを小さくすると、情報表示機能を損なう。狭い表示画面に多くの情報を表示するには表示される文字サイズを小さくすればよい。文字サイズを小さくすると、判読性を低下させることになる。このため、文字サイズの縮小化には限界がある。表示情報を増大するには画面サイズを拡大することが要請される。画面サイズの拡大要請は、携行性による小型化の要請と相反する。
【０００８】
また、表示部に設置されたタッチパネルのタッチ入力には、入力操作からすれば、必要なタッチサイズが必要である。
【０００９】
拡大した表示部間を一画面として自由に接触スライド操作出来る表示画面の拡大構造が求められている。小型化された電子機器ではスライド可能な二つの可動筐体を備え、各可動筐体に設置した表示部にタッチパネルを備えることにより、表示面積や操作面積を拡大している。
【００１０】
このように、二つの可動筐体のそれぞれにある表示部の表示画面を並立させれば、表示面積や操作面積を拡大できるが、拡大操作のための操作性や並立する表示部の表示画面間の連続性に欠けるという課題がある。
【００１１】
そこで、本開示の構成の目的は、上記課題に鑑み、筐体の小型化による携帯性を高めるとともに、情報表示の利便性を高めることにある。
【課題を解決するための手段】
【００１２】
上記目的を達成するため、本開示の構成は、第一の表示部、スライド保持部を備えた単一または複数の第二の表示部とともに、第二の表示部が移動するレールを備える。このレールに対し、ガイド部およびロック機構が併設されている。ガイド部では、第二の表示部を第一の表示部と隣接する位置にガイドする。ロック機構はガイド部でガイドされた第二の表示部を第一の表示部と隣接する位置に固定する。そして、レールを移動して引き出された第二の表示部が回動されると、スライド保持部がレールとの間に設けたばねにより第二の表示部の表示面方向に付勢されてガイド部に沿って移動し、第二の表示部を第一の表示部と隣接する位置に到達させ、ロック機構により第二の表示部を該位置に固定する。これにより、第一および第二の表示部の各表示面が同一面に固定される。
【発明の効果】
【００１３】
本開示の表示装置または携帯端末装置によれば、次のいずれかの効果が得られる。
【００１４】
(1) 第一の表示部に隣接する位置に第二の表示部がガイドされて移動し、隣接する第一および第二の表示部により表示面が拡大化され、情報表示の利便性が高められる。
【００１５】
(2) 使用時に第一および第二の表示部を隣接して配置するので、携行時にはコンパクト化できる。
【００１６】
そして、本発明の他の目的、特徴および利点は、添付図面および各実施の形態を参照することにより、一層明確になるであろう。
【図面の簡単な説明】
【００１７】
【図１】第１の実施の形態に係る携帯端末装置を示す図である。
【図２】可動筐体の移動を示す図である。
【図３】可動筐体の移動を示す端面または断面を示す図である。
【図４】第２の実施の形態に係る携帯端末装置を示す斜視図である。
【図５】可動筐体の移動開始を示す斜視図である。
【図６】表示部の移動操作を示す斜視図である。
【図７】表示部の表示面の同一面化を示す図である。
【図８】可動筐体の収納操作を示す図である。
【図９】レール機構を示す分解斜視図である。
【図１０】可動筐体の開動作を示す断面図である。
【図１１】可動筐体の移動を示す断面図である。
【図１２】可動筐体の傾斜および表示部間の結合を示す断面図である。
【図１３】可動筐体の閉操作を示す断面図である。
【図１４】可動筐体の復帰移動を示す断面図である。
【図１５】アシストばねの圧縮動作を示す断面図である。
【図１６】携帯端末装置を示す平面図である。
【図１７】可動筐体を引き出した携帯端末装置を示す平面図である。
【図１８】アシストばねを示す斜視図である。
【図１９】アシストばねの平面形状および側面形状を示す図である。
【図２０】可動筐体の収納状態を示す断面図である。
【図２１】装置筐体から可動筐体が突出した状態を示す断面図である。
【図２２】装置筐体から突出した可動筐体の凸縁部の回動を示す断面図である。
【図２３】装置筐体から可動筐体の手動引出し完了状態を示す断面図である。
【図２４】可動筐体の引き上げ操作の開始状態を示す断面図である。
【図２５】アシストばねによる可動筐体のアシスト移動を示す断面図である。
【図２６】装置筐体と可動筐体との係合状態を示す断面図である。
【図２７】可動筐体のスライド保持部の移動動作を示す断面図である。
【図２８】可動筐体のスライド保持部が押し戻された状態を示す断面図である。
【図２９】携帯端末装置の一部を省略して示す平面図である。
【図３０】図２９のＡ部の内部を拡大して示す図である。
【図３１】図２９のＢ部の内部を拡大して示す図である。
【図３２】図２９のＡ部を矢印XXXII 方向から示す断面図である。
【図３３】図２９の矢印XXXIII方向から示す断面図である。
【図３４】図３３からロック機構を除いて示す断面図である。
【図３５】図２９のＢ部を矢印XXXV方向から示す断面図である。
【図３６】図２９のＢ部を矢印XXXVI 方向から示す断面図である。
【図３７】ロック機構を示す断面図である。
【図３８】ガイド部とレールの係合関係を示す断面図である。
【図３９】凸縁部を省略して回転ロック板側から示す図である。
【図４０】可動筐体の保持状態を示す図である。
【図４１】図２９のＢ部の側面よりレールを示す断面図である。
【図４２】フレキシブル基板の配置および移動状態を示す断面図である。
【図４３】第３の実施の形態に係る携帯端末装置を示す図である。
【図４４】可動筐体の収納状態および引出し状態を示す断面図である。
【図４５】アシストばねによる第二の表示部のアシスト動作を示す図である。
【図４６】アシストばねによる第二の表示部のアシスト動作を示す図である。
【発明を実施するための形態】
【００１８】
〔第１の実施の形態〕
【００１９】
図１は、第１の実施の形態に係る携帯端末装置を示している。図１に示す構成は一例であり、斯かる構成に本開示の表示装置が限定されるものではない。
【００２０】
この携帯端末装置２−１は本開示の表示装置の一例である。図１に示す携帯端末装置２−１には、第一の筐体として装置筐体４−１（以下単に「筐体４−１」と称する）を備えている。筐体４−１には第一の表示部６−１が設置されている。この表示部６−１はたとえば、ＬＣＤ（Liquid Crystal Display）で構成され、文字や図形、画像などの情報が表示される。表示部６−２の表示面にはタッチによる情報入力に用いられるタッチパネルを備えてもよい。
【００２１】
筐体４−１の上面には、表示部６−１を挟んで長手方向の位置にマイクロフォン音孔１０およびレシーバ音孔１２が備えられている。マイクロフォン音孔１０は集音孔である。レシーバ音孔１２は放音孔である。
【００２２】
表示部６−１の下側には第二の表示部６−２が設置されている。表示部６−２は可動筐体４−２（以下単に「筐体４−２」と称する）を備える。この表示部６−２はたとえば、ＬＣＤ（Liquid Crystal Display）で構成され、文字や図形、画像などの情報が表示される。表示部６−２の表示面には、タッチによる情報入力に用いられるタッチパネルを備えてもよい。
【００２３】
筐体４−１には表示部６−２が移動するレール１４が設置されている。レール１４は表示部６−２の筐体４−２が移動するスライド経路の一例である。このレール１４には、ガイド部１６およびロック機構１８が設置されている（図２のＡ）。ガイド部１６は表示部６−２を表示部６−１と隣接する位置にガイドする。ロック機構１８は、ガイド部１６でガイドされた表示部６−２を表示部６−１と隣接する位置に固定する。このロック機構１８には回転ロック板２０が備えられている。
【００２４】
表示部６−２の下面側にはスライド保持部２２が備えられている。このスライド保持部２２とレール１４との間にはアシストばね２４が設置されている。スライド保持部２２は、アシストばね２４により、表示面方向に付勢されている。たとえば、圧縮状態にあるアシストばね２４の復元力がスライド保持部２２に対し、表示部６−２の表示面方向に作用している。
【００２５】
図２のＡないしＤは、筐体４−１内から表示部６−１の表示面位置までの表示部６−２の移動を示している。図３のＡは図２のＡのIIIA矢視面、図３のＢは図２のＢのIIIB−IIIB線端面、図３のＣは図２のＣのIIIC−IIIC線端面、図３のＤは図２のＤのIIID−IIID線端面を示している。
【００２６】
図２のＡ（図３のＡ）に示すように、閉状態では、表示部６−２が筐体４−１の内部に収容される。つまり、表示部６−２は、表示部６−１の下面側に配置される。
【００２７】
表示部６−２は図２のＢ（図３のＢ）に示すように、筐体４−１の側面部に引き出される。表示部６−２はアシストばね２４によって付勢され、図２のＣ（図３のＣ）に示すように、傾斜状に移動する。レール１４の先端部にはロック機構１８の回転ロック板２０が設置されている。
【００２８】
表示部６−２は図２のＤ（図３のＤ）に示すように、表示部６−２は、ガイド部１６によりガイドされ、表示部６−１の表示面位置まで移動する。表示部６−２は傾斜状態から水平となり、表示部６−１の表示面と同一位置になる。
【００２９】
＜第１の実施の形態の効果＞
【００３０】
(1) 各表示部６−１、６−２の各表示面を一致させることができ、同一位置に設定された表示部６−１、６−２の表示面により表示面積の拡大化が図られる。各表示部６−１、６−２の表示面積を同一とすれば、表示部６−２のスライドによって２倍の表示面積に拡大される。また、各表示部６−１、６−２にタッチパネルを設置すれば、タッチパネルの操作面積も拡大できる。
【００３１】
(2) 表示部６−２は表示部６−１の下面側に重ねられて重合状態とすることができるので、携帯端末装置２−１の小型化を損なうことなく、つまり、携帯性を損なうことなく、表示面積の拡大化を図ることができる。
【００３２】
(3) 表示部６−１、６−２の接合側の縁部を同一面に突き合わせることができ、異なる表示部６−１、６−２により仕切り縁の無い一つの拡大化された表示面が得られる。
【００３３】
〔第２の実施の形態〕
【００３４】
図４は、第２の実施の形態に係る携帯端末装置２−２を前面に右側面側を向けて示している。この携帯端末装置２−２において、図１および図２と同一部分には同一符号を付してある。
【００３５】
この携帯端末装置２−２は既述の携帯端末装置２−１と同様に筐体（装置筐体）４−１の内部に筐体（可動筐体）４−２が設置されている。
【００３６】
表示部６−１の周縁には凸縁部２６−１が設置されている。表示部６−２の縁部には凸縁部２６−１に連続して凸縁部２６−２が設置されている。各凸縁部２６−１、２６−２は表示部６−１を包囲し、表示部６−１の表示面より高く設定されている。凸縁部２６−１および凸縁部２６−２は筐体４−１の周壁部を構成している。
【００３７】
筐体４−１の側面には、ロック機構２８のロック解除レバー３０が設置されている。図４はロック機構２８により表示部６−２がロックされている状態を示している。ロック機構２８は、ラチェット機構などを備え、筐体４−１の内部に収納された表示部６−２をロックし、表示部６−２の移動を阻止する。このロック機構２８のロック状態は、ロック解除レバー３０により解除される。
【００３８】
なお、表示部６−２のロック状態では、アシストばね３２（図９）が圧縮状態に維持されている。このため、アシストばね３２の復元力が表示部６−２の飛び出し方向に向かって作用している。
【００３９】
この表示部６−２の操作にはロック解除操作（図５）、筐体４−１の外側での表示部６−２の移動操作（図６）、表示部６−１、６−２の同一面化操作（図７）による引出しの後、表示部６−２の収納操作（図８）が含まれる。
【００４０】
＜ロック解除操作＞
【００４１】
図５は、表示部６−２のロック解除状態（表示部６−２の半開き状態）を示している。筐体４−１の側面にあるロック解除レバー３０を矢印方向（ロック解除方向）にスライドさせる（図４）。これにより、表示部６−２のロックが解除される。ロック解除を行うには、たとえば、ユーザが携帯端末装置２−２を左手で支え、親指によりロック解除レバー３０を矢印方向にスライドさせればよい。これにより、表示部６−２のロックが解除され、表示部６−２は、アシストばね３２の付勢によりアシストされ、筐体４−１の側面に飛び出す。
【００４２】
この結果、表示部６−２は半開き状態となる。表示部６−２の突出幅は、表示部６−２を掴むことができる程度の突出幅でよく、たとえば、５〜１０〔ｍｍ〕程度であればよい。
【００４３】
表示部６−２が移動すると、表示部６−２にある凸縁部２６−２が表示部６−１の凸縁部２６−１から離脱する。これにより、筐体４−１の凸縁部２６−１が欠落し、表示部６−１の縁部が露出する。この縁部には、表示部６−２の縁部側と係合させる複数の係合突部３４−１が形成されている。表示部６−２側には表示部６−１と係合させる係合凹部３４−２（図６）が形成されている。
【００４４】
＜表示部６−２のアシスト動作＞
【００４５】
図６は、表示部６−２の移動操作を示している。表示部６−２をスライド終端まで筐体４−１の側面方向にスライドさせる。これにより、表示部６−２は傾斜状態となる。この傾斜状態から凸縁部２６−２側を引下げ、表示部６−２の縁端を筐体４−１側の係合突部３４−１側に押し上げる。
【００４６】
＜表示部６−１、６−２の同一面化操作＞
【００４７】
図７は、表示部６−１、６−２の同一面化操作を示している。表示部６−２の引出し完了（図６に示す位置）から、表示部６−２の先端部を水平位置に戻し、表示部６−２を水平に維持して筐体４−１の縁部にある係合突部３４−１に表示部６−２の係合凹部３４−２を係合させる。この係合により、筐体４−１に表示部６−２が保持される。これにより、表示部６−２が水平に維持され、表示部６−１、６−２の各表示面が同一面に一致し、連続し且つ拡大された表示面となる。
【００４８】
＜表示部６−２の収納操作＞
【００４９】
図８は、表示部６−２の収納操作を示している。表示部６−２の凸縁部２６−２を持ち上げる。水平状態にある表示部６−２を引出し方向に移動させて係合突部３４−１と係合凹部３４−２の係合を解除する。これにより、表示部６−２が筐体４−１の表示部６−１の下側に移動し、その状態で筐体４−１に表示部６−２を押し込むことができ、図４に示す収納状態となる。
【００５０】
＜レール１４（第一のレール）および第二のレール３６−１、３６−２＞
【００５１】
図９は、ロック機構１８を省略したレール１４および第二のレール３６−１、３６−２を分解して示している。レール１４は、ガイド部１６を備え、各レール３６−１、３６−２に支持されてスライドする。
【００５２】
レール１４には板状の支持部３８が備えられている。この支持部３８には一対のレール部４０−１、４０−２が立設されている。この支持部３８の前縁には既述のロック機構１８が取付けられているが、図９では省略している。レール部４０−１はレール３６−１に支持され、レール部４０−２はレール３６−２に支持される。
【００５３】
各レール部４０−１、４０−２の後端上部には係止突部４２が形成されている。この係止突部４２は、レール３６−１、３６−２のスライド溝４４に挿入される。このため、係止突部４２の移動範囲がスライド溝４４で規制される。これにより、レール１４のスライド幅がレール３６−１、３６−２で規制されている。
【００５４】
各レール部４０−１、４０−２の対向面部にはスライド保持部２２をガイドするガイド部１６の溝部４６が形成されている。この溝部４６には、ガイド面部４８および係止凹部５０が形成されている。レール部４０−１の後端側には表示部６−２のスライドロックに用いられるロック機構２８のロック孔５２が形成されている。このロック孔５２側には、アシストばね３２の前端を固定するばね固定部５３が形成されている。
【００５５】
各レール３６−１、３６−２は筐体４−１に設置され、互いに対向する断面コ字形を成している。各レール３６−１、３６−２には、立壁部５４を備え、その下縁に下縁支持部５６、その上縁に上縁支持部５８が形成されている。上縁支持部５８の後端側には既述のスライド溝４４が形成されている。
【００５６】
レール３６−１の立壁部５４の後端側には既述のロック孔５２に対応するロック孔６０が形成されている。このロック孔６０はロック孔５２と同形状である。
【００５７】
このロック孔６０より前側には、アシストばね３２の後端を支持するばね支持部６２が形成されている。ばね支持部６２の前側には、レール部４０−１側のばね固定部５３を貫通させるスライド窓６４が形成されている。このスライド窓６４を貫通させたばね固定部５３と、レール３６−１側のばね支持部６２との間にアシストばね３２が支持されている。このアシストばね３２を圧縮状態とすることにより、その復元力によりレール１４に作用する。
【００５８】
アシストばね３２が圧縮状態から開放される場合（つまりロックが解除される場合）には、レール１４にあるガイド部１６がアシストばね３２のアシストによってスライドする。これにより、表示部６−２が筐体４−１から突出する。また、表示部６−２を筐体４−１に収納する場合にはアシストばね３２を圧縮させる。
【００５９】
＜表示部６−２の開動作＞
【００６０】
図１０のＡは、携帯端末装置２−２の筐体４−１内に表示部６−２が収納された状態（閉状態）を示している。この携帯端末装置２−２には既述した通り、筐体４−１から表示部６−２を引き出しまたは収納するためのレール１４およびレール３６−１、３６−２を備えている。レール１４およびレール３６−１、３６−２を含む構成として、スライドモジュール構造を構成している。
【００６１】
筐体４−１に表示部６−２が収納されると、ロック機構２８により表示部６−２が筐体４−１内にロックされる。このロックにより、表示部６−２のスライド移動が阻止される。このとき、アシストばね３２が圧縮状態で保持されている。つまり、このアシストばね３２がレール１４を表示部６−２の押し出し方向に付勢している。
【００６２】
図１０のＢは、ロック解除レバー３０の操作により、ロックが解除された状態を示している。ロックが解除されると、アシストばね３２が圧縮状態から開放され、このアシストばね３２の復元力により、レール１４とともに表示部６−２が筐体４−１から突出する。矢印はアシストばね３２のアシストスライドおよび表示部６−２の移動を示している。
【００６３】
このとき、ロック機構１８の回転ロック板２０は、表示部６−２の下面側に水平状態に維持される。回転ロック板２０はレール１４の先端側にある支持軸６６に回転可能に取り付けられている。支持軸６６にはトーションばね６８（図２０）が取り付けられ、このトーションばね６８により回転ロック板２０が時計方向に付勢されている。
【００６４】
図１１のＡは、表示部６−２が手動操作により引き出された状態（表示部６−２の手動による開き開始状態）を示している。矢印は手動操作および引き出し方向を示している。
【００６５】
図１１のＢは、表示部６−２がスライド終点まで引き出された状態（手動開きスライド完了状態）を示している。表示部６−２をスライド終点まで筐体４−１から引き出すと、表示部６−２の縁部には筐体４−１側の係合突部３４−１に対応する係合凹部３４−２が筐体４−２から露出した状態となる。この場合、スライド保持部２２がガイド部１６に係合しているので、表示部６−２がスライド保持部２２およびガイド部１６を介してレール１４に支持されている。
【００６６】
図１２のＡは、表示部６−２の傾斜状態を示している。表示部６−１側の表示面に表示部６−２側の表示面を一致させるため、表示部６−２を時計方向に回動させる。この回動は表示部６−２の係合凹部３４−２を係合突部３４−１から離間する方向に向かって行う。つまり、表示部６−２を引き出しながら表示部６−１の表示面側に押し上げる。これにより、回転ロック板２０が表示部６−２の筐体４−２から離れ、トーションばね６８（図２０）の復元力により、時計方向に支持軸６６を中心に回動する。これにより、回転ロック板２０が水平状態から起立状態に移行する。
【００６７】
図１２のＢは、表示部６−２の表示面が表示部６−１の表示面に一致させた状態を示している。アシストばね２４のばね力（復元力）でアシストされ、表示部６−２の端部が押し上げられる。表示部６−２の係合凹部３４−２に表示部６−１側の係合突部３４−１を係合させる。これにより、表示部６−２が水平方向に維持されるとともに、表示部６−２の縁部が表示部６−１の縁部に密着する。このとき、回転ロック板２０が直立状態となり、表示部６−２をロックする。これにより、表示部６−２が水平に維持されてロックされ表示部６−２の表示面が表示部６−１の表示面と同一面に保持される。
【００６８】
＜表示部６−２の閉動作＞
【００６９】
図１３のＡは、閉操作の開始状態を示している。閉操作では、表示部６−２を表示部６−１より引き離す方向に負荷をかけながら押し上げる。その際、表示部６−２を端部方向に引き、係合突部３４−１から係合凹部３４−２を外す。これにより、トーションばね６８の復元力を受けている回転ロック板２０が反時計方向に回転し、表示部６−２から外れる。
【００７０】
図１３のＢは、表示部６−２が筐体４−１内への移動状態を示している。表示部６−２から回転ロック板２０が外れると、表示部６−２をアシストばね３２の復元力に抗して筐体４−１の内部に潜り込ませる。つまり、表示部６−２を矢印方向に筐体４−１内にスライドさせ、表示部６−１の下側に押し戻す。
【００７１】
図１４のＡおよびＢは、表示部６−２の復帰移動を示している。表示部６−２のスライド保持部２２にはアシストばね３２の復元力が収納方向と反対方向に作用する。このため、アシストばね３２の復元力に打ち勝つ力を表示部６−２に加える。これにより、表示部６−２を収納方向にスライドさせる。この復帰移動の際には、回転ロック板２０は移動する表示部６−２の底面により水平状態に維持される。
【００７２】
図１５のＡは、表示部６のスライド保持部２２のスライド状態を示している。表示部６−２の収納が進むと、表示部６−２の凸縁部２６−２の下縁部が回転ロック板２０に突き当たる。これにより、表示部６−２とスライド保持部２２とが係合状態となり、表示部６−２が筐体４−１内に収納される。
【００７３】
図１５のＢは、表示部６−２の収納状態を示している。筐体４−１内に表示部６−２が完全に押し込まれると、スライド保持部２２はレール１４およびレール３６−１とともにロック機構２８にロックされる。つまり、スライド保持部２２および表示部６−２は筐体４−１内にロック状態で保持される。このとき、アシストばね３２は圧縮状態となり、最大の復元力を蓄積した状態となる。
【００７４】
＜携帯端末装置２−２の平面構成＞
【００７５】
図１６は、表示部６−２が筐体４−１に収納された携帯端末装置２−２を上面から見て示している。
【００７６】
筐体４−１は偏平な直方体形（図４）である。この筐体４−１の上面部には表示部６−１が設置されている。この表示部６−１の下面側と表示部６−２との間にはフレキシブル基板（ＦＰＣＢ）７０が屈曲状態で配置されている。ＦＰＣＢ７０の一端が筐体４−１側の接続部７２に接続され、その他端が表示部６−２の接続部７４に接続されている。
【００７７】
この実施の形態では一対のアシストばね２４が設置されている。各アシストばね２４は、筐体４−１の長手方向に一定間隔を設けて配置されている。これらアシストばね２４により、表示部６−２のスライド保持部２２が表示面方向に付勢されている。
【００７８】
図１７は、表示部６−２の引出し状態を示している。表示部６−２の下側にあるスライド保持部２２は、レール１４の支持部３８との間に配置された一対のアシストばね２４により付勢されている。
【００７９】
図１８はアシストばね２４を示している。図１９はアシストばね２４の平面形状および側面形状を示している。
【００８０】
アシストばね２４は単一のばね板で形成されている。このアシストばね２４は、長方形状の載置部２４０を備えるとともに、この載置部２４０の長手方向の縁部の延長上に載置辺部２４１、２４２が形成されている。載置部２４０の両側部には、図１９のＡに示すように、各載置辺部２４１、２４２から対向方向に傾斜して立ち上がる長方形状の弾性部２４３、２４４が形成されている。各弾性部２４３、２４４の先端部には折曲げ部２４５が形成されている。
【００８１】
各アシストばね２４は、図１９のＢおよびＣに示すように、載置部２４０および載置辺部２４１、２４２を以て載置される。この載置部２４０および載置辺部２４１、２４２と各弾性部２４３、２４４との間隔がばね板が持つ弾性によって伸縮可能である。図１８および図１９のＢおよびＣに示す形状が常態である。各弾性部２４３、２４４を載置部２４０および載置辺部２４１、２４２側に圧縮すれば、その圧縮状態の開放方向に復元力を得ることができる。
【００８２】
＜筐体４−１および表示部６−２の構成＞
【００８３】
図２０は、筐体４−１に収納された表示部６−２の構成を示している。筐体４−１には、上面側に表示部ケース７６が設置されている。この表示部ケース７６には表示部６−１のＬＣＤ７８−１が設置されている。このＬＣＤ７８−１の表面には表示部ケース７６の上縁に跨がってタッチパネル８０−１が設置されている。このタッチパネル８０−１はＬＣＤ７８−１の表面を覆い、表示部ケース７６の上縁を覆って配置されている。
【００８４】
表示部ケース７６の前縁部には係合突部３４−１が形成されている。表示部６−２には凸縁部２６−２を備える可動アーム部８２が支持軸８４により筐体４−２に支持されている。この支持軸８４には可動アーム部８２を図２０中、反時計方向に復元力を作用させているトーションばね８６が設置されている。このトーションばね８６は、可動アーム部８２と筐体４−２との間に設置されている。
【００８５】
凸縁部２６−２の内側には、係合突部３４−１を収納する凹部８８が形成されている。この凹部８８に係合突部３４−１が挿入されることにより、表示部６−２の凸縁部２６−２が表示部ケース７６およびタッチパネル８０−１の上面の一部を覆った状態で設置される。凸縁部２６−１、２６−２にはタッチパネル８０−１側に突出したフランジ部９０が形成されている。このフランジ部９０でタッチパネル８０−１の縁部が防護されている。
【００８６】
表示部６−２にもＬＣＤ７８−２が設置されている。このＬＣＤ７８−２の上面には筐体４−２の上縁部に跨がってタッチパネル８０−２が設置されている。
【００８７】
回転ロック板２０はガイド部１６の先端部に設置され、支持軸６６によりガイド部１６に回転可能に支持されている。支持軸６６には既述のトーションばね６８が設置されている。このトーションばね６８の復元力が回転ロック板２０に作用している。図２１に示す回転ロック板２０は、筐体４−１に収納された表示部６−２の下面側にあたり、トーションばね６８の復元力が最大になっている。
【００８８】
＜表示部６−２の筐体４−１からの突出状態＞
【００８９】
図２１は、表示部６−２が筐体４−１から突出した状態を示している。これはロック解除レバー３０によるロック解除により、表示部６−２がアシストばね３２の復元力によるアシストにより筐体４−１から突出した状態である。
【００９０】
この突出状態は表示部６−２の引き出し初期状態である。この状態ではガイド部１６と表示部６−２との間でアシストばね２４が圧縮状態に維持され、回転ロック板２０は表示部６−２の下面に平行に維持される。
【００９１】
＜表示部６−２の手動引出し移動＞
【００９２】
図２２は、表示部６−２の手動引き出しによる凸縁部２６−２の回動を示している。表示部６−２を矢印方向に図２１の状態から図２２の状態に引き出すと、ガイド部１６が可動アーム部８２から外れる。これにより、可動アーム部８２が反時計方向にトーションばね８６の復元力により回動し、表示部６−２の縁部から凸縁部２６−２が図２２に示す傾斜状態となる。この場合、回転ロック板２０は表示部６−２の底面と平行状態であり、アシストばね２４は圧縮状態に維持される。
【００９３】
＜表示部６−２の手動引出し完了状態＞
【００９４】
図２３は、表示部６−２の手動引出し完了状態を示している。これは表示部６−２を筐体４−１からスライド限界まで引き出した状態である。このような引出し状態では、表示部６−２の底面にあるスライド保持部２２がアシストばね２４の上面に到達し、ガイド部１６に突き当たる。これにより、表示部６−２のスライドが阻止される。つまり、ガイド部１６にスライド保持部２２が突き当たる位置が表示部６−２のスライド限界である。
【００９５】
＜表示部６−２の引き上げ操作＞
【００９６】
図２４は、表示部６−２の引き上げ操作の開始状態を示している。ガイド部１６に表示部６−２側のスライド保持部２２が衝突すると、その衝突点が表示部６−２の回動支点９２となる。この回動支点９２を中心に表示部６−２を時計方向に回動させる。これにより、アシストばね２４が圧縮状態から開放され、その復元力がスライド保持部２２に作用する。表示部６−２が回動して傾斜状態となると、回転ロック板２０がトーションばね６８の復元力を受け、支持軸６６を中心に時計方向に回動し起き上がる。
【００９７】
この回転ロック板２０に対し、表示部６−２の底面には係止突部９４が形成されている。この係止突部９４とスライド保持部２２との間には凹部９６が形成されている。この係止突部９４との摩擦を軽減するため、回転ロック板２０には湾曲面部９８が形成されている。
【００９８】
＜アシストばね２４による表示部６−２のアシスト移動＞
【００９９】
図２５は、表示部６−２に対するアシストばね２４のアシスト移動を示している。表示部６−１、６−２の結合直前の動作を示している。
【０１００】
圧縮状態から開放されたアシストばね２４は最大の復元力を生じ、この復元力を表示部６−２のスライド保持部２２に作用させる。この復元力により、表示部６−２は浮き上がるように移動し、この浮き上がり動作はガイド部１６の溝部４６で停止する。この結果、表示部６−２は水平になる。この水平位置は、筐体４−１の係合突部３４−１に、表示部６−２の係合凹部３４−２が対応する位置である。
【０１０１】
このとき、回転ロック板２０の先端は係止突部９４に当たる。回転ロック板２０の支持軸６６に取り付けられているトーションばね６８の復元力が回転ロック板２０を通じて表示部６−２に作用する。これにより、表示部６−２は引出し方向と逆方向である矢印方向にスライドする。
【０１０２】
＜表示部６−２のトーションばね６８によるアシスト移動＞
【０１０３】
図２６は、表示部６−１、６−２間の係合状態を示している。回転ロック板２０が係止突部９４に係止され、トーションばね６８の復元力が表示部６−２に作用すると、表示部６−２が表示部６−１の方向に押される。これにより、表示部６−１の係合突部３４−１と表示部６−２の係合凹部３４−２が係合する。
【０１０４】
また、表示部６−２が表示部６−１側に移動すると、トーションばね６８による復元力を受けて回転ロック板２０の回動が進み、回転ロック板２０は係止突部９４に当たり、垂直状態となる。つまり、回転ロック板２０の直立状態により、回転ロック板２０がガイド部１６と表示部６−２の底面との間に入り込む。この場合、回転ロック板２０にはトーションばね６８の復元力が作用しており、この復元力は係合突部３４−１と係合凹部３４−２との係合関係を維持する方向に作用している。これにより、表示部６−１、６−２の結合が強固に維持される。したがって、表示部６−１、６−２の表示面が同一面に保持され、表示面の拡大化が図られる。
【０１０５】
＜スライド保持部２２の開動作＞
【０１０６】
図２７は、スライド保持部２２の移動動作を示している。スライド保持部２２は表示部６−２の底面側に設置されている部材である。
【０１０７】
スライド保持部２２は表示部６−２が筐体４−１から引き出されると、スライド限界位置〔Ｉ〕で停止する。この位置がスライド保持部２２がガイド部１６に衝突する位置である。この位置〔Ｉ〕でアシストばね２４の圧縮状態が解除される。
【０１０８】
アシストばね２４が徐々に伸長状態に移行し、スライド保持部２２はガイド部１６のガイド面部４８に沿って移動する。傾斜位置〔II〕は、アシストばね２４の復元力によるスライド保持部２２の移動途上を示している。
【０１０９】
この傾斜位置〔II〕から水平位置〔III 〕にスライド保持部２２が移動して停止する。このような一連のスライド保持部２２の移動と平行し、回転ロック板２０が垂直状態になる。
【０１１０】
図２８は、スライド保持部２２がトーションばね６８の復元力で押し戻された状態（表示部６−１、６−２間の結合完了位置）を示している。
【０１１１】
回転ロック板２０がトーションばね６８の復元力で回動すると、表示部６−２が筐体４−１側に移動する。これに伴ってスライド保持部２２も移動する。矢印はトーションばね６８による表示部６−２の移動方向を示している。スライド保持部２２の先端がガイド部１６の係止凹部５０に係合し、ロックされる。筐体４−１側のガイド部１６には表示部６−１の収納口１００が形成されている。
【０１１２】
＜スライド保持部２２の閉動作＞
【０１１３】
表示部６−１、６−２の結合が解除される場合には、係止凹部５０からスライド保持部２２の係合が解除され、収納口１００に入る位置までスライド保持部２２を移動する。結合解除におけるスライド保持部２２の基本的な動作は、結合動作の逆である。つまり、図２７に示すスライド保持部２２の位置〔III 〕から位置〔II〕を経て位置〔Ｉ〕への順となる。このようにスライド保持部２２の位置を移動し、スライド保持部２２が収納口１００に入る。これにより、スライド保持部２２とともに表示部６−２が筐体４−１の内部に収納される。そして、表示部６−２が筐体４−１への収納を完了すると、ロック機構２８によりスライド保持部２２が筐体４−１内でロックされる。このロック状態では、既述の通り、アシストばね３２が圧縮状態で、復元力が最大の状態で維持される。
【０１１４】
＜表示面側から表示部６−２のスライド動作＞
【０１１５】
図２９は、携帯端末装置２−２の平面の一部を示している。図３０は、図２９のＡ部の内部を拡大して示している。
【０１１６】
ガイド部１６の上面には表示部６−２が設置され、表示部６−２には凸縁部２６−２の可動アーム部８２が設置されている。この可動アーム部８２は、支持軸８４により表示部６−２に回動可能に支持され、トーションばね８６により付勢されている。
【０１１７】
図３１は、図２９のＢ部の内部を拡大して示している。筐体４−１には表示部６−２のロック機構２８が設置されている。このロック機構２８にはロック機構ケース１０２が設けられている。このロック機構ケース１０２には、ばね１０４とともにスライダ１０６が設置されている。このスライダ１０６にはロック爪１０８が設置されている。スライダ１０６には既述のロック解除レバー３０が取り付けられている。ロック解除レバー３０を矢印方向に移動することにより、スライダ１０６とともにロック爪１０８をレール１４、３６−１から外すことができる。
【０１１８】
レール１４にはスライド溝４４が形成されている。このスライド溝４４は、表示部６−２の押し戻しの限界位置を決定する。このスライド溝４４を備えるレール１４には係止突部４２が係合し、その限界位置を規制する。この係止突部４２は、ロック爪１０８により係止される。これらの係止は、ロック解除レバー３０の矢印方向への操作により解除され、係止突部４２がスライド溝４４を移動する。この移動は、アシストばね３２の復元力によって実行される。
【０１１９】
図３２は、図２９のＡ部の矢視XXXII 方向からガイド部１６を示している。ガイド部１６には表示部６−２が支持されている。表示部６−２が筐体４−１に収納された場合にはガイド部１６は、凸縁部２６−２より後退して待機している。
【０１２０】
図３３は、図２９のＢ部を矢視XXXIII方向から見て示している。図３３ではレール３６−１およびガイド部１６を省略して示している。筐体４−１には立壁１１０が立設されている。この立壁１１０と筐体４−１の周壁部との間にロック機構２８が設置されている。ロック機構２８には既述のばね１０４が設置され、ロック爪１０８が形成されている。このロック爪１０８はスライド保持部２２を係止している。このスライド保持部２２のスライド方向には係止突部９４が表示部６−２に設けられている。係止突部９４が回転ロック板２０を倒し、表示部６−２を筐体４−１に収納する際に補助する。
【０１２１】
図３４は、図３３からロック機構２８を除いて示している。筐体４−１の周壁部１１２には、ロック解除レバー３０（図３３）をスライドさせるスライド孔１１４が形成されている。筐体４−１に収納された表示部６−２のスライド保持部２２にはロック孔１１６が形成されている。このロック孔１１６に既述のロック爪１０８（図３１）が挿入され、表示部６−２を係止する。ロック解除レバー３０のスライドによりロックが解除されたとき、スライド保持部２２の端面にアシストばね３２から復元力が作用し、スライド保持部２２とともに表示部６−２が筐体４−１の側部に押し出される。
【０１２２】
図３５および図３６は、図２９のＢ部を矢印XXXV方向または矢印XXXVI 方向から表示部６−２とともにスライド保持部２２を示している。ロック機構２８のロックが解除されると、アシストばね３２によりスライド保持部２２とともに表示部６−２の双方が押し出される。ロック機構２８によりロックされた場合には、スライド保持部２２とともに表示部６−２の双方が保持されている。
【０１２３】
図３７は、表示部６−２の引き出し側より見たロック機構２８の断面を示している。ロック機構ケース１０２にはスライダ１０６が設置されている。スライダ１０６とロック機構ケース１０２の立壁部１１８との間にばね１０４が設置されている。このばね１０４は圧縮状態にある。これにより、スライダ１０６が表示部６−２のガイド部１６側に押しつけられている。スライダ１０６に形成されたロック爪１０８は、レール３６−１を貫通してスライド保持部２２側のロック孔１１６に嵌め込まれ、スライダ１０６によって表示部６−２およびガイド部１６がロックされている。
【０１２４】
図３８は、引き出し側より見た表示部６−２の引き出し時のスライド保持部２２付近の断面を示している。レール３６−１にスライド可能に支持されているガイド部１６には支持軸６６により回転ロック板２０が回動可能に支持されている。
【０１２５】
図３９は、表示部６−２の凸縁部２６−２を省略して回転ロック板２０から見た断面を示している。この場合、回転ロック板２０が回転して垂直状態に維持されている。これにより、表示部６−２の表示面が筐体４−１側の表示部６−１の表示面の位置まで上昇して結合している。表示部６−２は垂直状態の回転ロック板２０により支持されている。
【０１２６】
図４０は、表示部６−２が筺体４−１内に収納されて保持されている状態を示している。表示部６−２は筺体４−１の表示部６−１の背面側に保持されている。可動アーム部８２は筺体４−１の側面に保持されている。
【０１２７】
図４１は、図２９のＢ部の側面より見たレール３６−１を含む断面を示している。この状態ではアシストばね３２が圧縮状態で保持されている。ロック機構２８のスライダ１０６にあるロック爪１０８によりスライド保持部２２がロックされた状態である。
【０１２８】
＜他のＦＰＣＢ７０の設置および移動＞
【０１２９】
ＦＰＣＢ７０は図４２に示すように、配置してもよい。図４２のＡは、筐体４−１内に表示部６−２が収納された状態を示している。表示部６−１側と表示部６−２側との間にはＦＰＣＢ７０が接続されている。ＦＰＣＢ７０の端部７０−１が表示部６−１側に接続され、その端部７０−２が表示部６−２側に接続されている。このＦＰＣＢ７０はＵ字形に折り曲げられ、屈曲部７０−３が端部７０−２に近接し、表示部６−１の背面と表示部６−２の上面との間に配置されている。
【０１３０】
図４２のＢは、筐体４−１から表示部６−２を引き出した状態を示している。表示部６−２の引出しに応じて、ＦＰＣＢ７０の屈曲部７０−３が変移し、表示部６−１、６−２の中間位置まで移動する。
【０１３１】
図４２のＣは、表示部６−１、６−２を水平状態に維持された状態を示している。この場合、表示部６−２は表示部６−１側に移動させて維持する。この移動に応じてＦＰＣＢ７０の中途部に屈曲部７０−４が生成されて維持される。
【０１３２】
＜第２の実施の形態の効果＞
【０１３３】
(1) 上記実施の形態によれば、表示部６−２の操作によって表示部６−２を表示部６−１の側面側に配置できる。これにより、表示部６−１、６−２を結合して単一の表示面に構成できる。斯かる表示面は二つの表示部６−１、６−２の表示面の合成体であり、表示面積の拡大化を図ることができる。
【０１３４】
(2) また、表示部６−１、６−２の表示面にタッチパネル８０−１、８０−２が設置されているので、表示面の拡大化と相まってタッチ面が拡大化できる。利便性の高い携帯端末装置２−２を構成できる。
【０１３５】
〔第３の実施の形態〕
【０１３６】
図４３は、第３の実施の形態に係る携帯端末装置２−３を示している。図４３において、図４と同一部分には同一符号を付し、その説明を割愛する。
【０１３７】
この携帯端末装置２−３では、装置本体である第一の筐体４−１に第一の表示部６−１が備えられ、この表示部６−１の下側に二つの表示部６−２１、６−２２が水平方向にスライド可能に備えられている。表示部６−２１、６−２２は第二の表示部の一例である。表示部６−２１は可動筐体である筐体４−２１を備え、表示部６−２２は可動筐体である筐体４−２２を備えている。各表示部６−２１、６−２２は、表示部６−１を中心にして表示部６−１の左右の側面に引き出された後、第１または第２の実施の形態と同様に、矢印方向（筐体４−１の各側面方向）に上昇し、筐体４−１にある表示部６−１に結合される。これにより、筐体４−１の表示部６−１の表示面と表示部６−２１、６−２２の表示面とが突き当てられて結合し、同一面化されている。
【０１３８】
図４４のＡは、筐体４−１内の各表示部６−１、６−２１、６−２２の積層配置を示している。斯かる構成により、各表示部６−１、６−２１、６−２２は三層構造を構成している。
【０１３９】
図４４のＢは、各表示部６−２１、６−２２が筐体４−１から引出し途上の断面を示している。表示部６−２１の下側にはレール１４−１が設置されている。表示部６−２１には既述したスライド保持部２２をガイドするガイド部１６がレール１４−１に設けられている。表示部６−２２には既述したスライド保持部２２がガイドするガイド部１６がレール１４−２に設けられている。レール１４−１、レール１４−２にはスライド保持部２２を表示面方向にアシストする既述のアシストばね２４−１、２４−２が設置されている。
【０１４０】
斯かる構成により、図４５に示すように、表示部６−２１はアシストばね２４−１の復元力により移動をアシストされる。そして、回転ロック板２０−１のロックにより、表示部６−２１の表示面は、第２の実施の形態と同様の係合突部３４−１および係合凹部３４−２により、表示部６−１の表示面に一致させることができる。
【０１４１】
また、図４６に示すように、表示部６−２２はアシストばね２４−２の復元力により移動をアシストされる。そして、回転ロック板２０−２のロックにより、表示部６−２２の表示面は、第２の実施の形態と同様の係合突部３４−１および係合凹部３４−２により、表示部６−１の表示面に一致させることができる。したがって、第３の実施の形態においても、上記実施の形態と同様の効果が得られる。
【０１４２】
〔他の実施の形態〕
【０１４３】
(1) 上記実施の形態では、本開示の表示装置を備える携帯端末装置２−１、２−２、２−３を例示したが、本開示の表示装置は携帯端末装置２−１、２−２、２−３や、その構成に限定されない。表示部を備える電子機器であればよく、スマートフォン、タブレット端末、電子ゲーム機、カメラ、電子辞書などの各種電子機器に用いることができる。
【０１４４】
(2) 上記実施の形態では、タッチパネルを備えた構成例を示したが、タッチパネルを備えない場合であってもよい。
【０１４５】
以上説明したように、表示装置および携帯端末装置の最も好ましい実施の形態等について説明した。本開示の構成は、上記記載に限定されるものではない。特許請求の範囲に記載され、又は発明を実施するための形態に開示された要旨に基づき、当業者において様々な変形や変更が可能である。斯かる変形や変更が、本発明の範囲に含まれることは言うまでもない。
【符号の説明】
【０１４６】
２−１、２−２、２−３  携帯端末装置
４−１  装置筐体
４−２、４−２１、４−２２  可動筐体
６−１  第一の表示部
６−２、６−２１、６−２２  第二の表示部
１４、１４−１、１４−２  レール
１６  ガイド部
１８  ロック機構
２０、２０−１、２０−２  回転ロック板
２２  スライド保持部
２４、２４−１、２４−２  アシストばね
２６−１、２６−２  凸縁部
２８  ロック機構
３０  ロック解除レバー
３２  アシストばね
３４−１  係合突部
３４−２  係合凹部
３６−１、３６−２  第二のレール
【図１】
0005910198.tif 000002
【図２】
0005910198.tif 000003
【図３】
0005910198.tif 000004
【図４】
0005910198.tif 000005
【図５】
0005910198.tif 000006
【図６】
0005910198.tif 000007
【図７】
0005910198.tif 000008
【図８】
0005910198.tif 000009
【図９】
0005910198.tif 000010
【図１０】
0005910198.tif 000011
【図１１】
0005910198.tif 000012
【図１２】
0005910198.tif 000013
【図１３】
0005910198.tif 000014
【図１４】
0005910198.tif 000015
【図１５】
0005910198.tif 000016
【図１６】
0005910198.tif 000017
【図１７】
0005910198.tif 000018
【図１８】
0005910198.tif 000019
【図１９】
0005910198.tif 000020
【図２０】
0005910198.tif 000021
【図２１】
0005910198.tif 000022
【図２２】
0005910198.tif 000023
【図２３】
0005910198.tif 000024
【図２４】
0005910198.tif 000025
【図２５】
0005910198.tif 000026
【図２６】
0005910198.tif 000027
【図２７】
0005910198.tif 000028
【図２８】
0005910198.tif 000029
【図２９】
0005910198.tif 000030
【図３０】
0005910198.tif 000031
【図３１】
0005910198.tif 000032
【図３２】
0005910198.tif 000033
【図３３】
0005910198.tif 000034
【図３４】
0005910198.tif 000035
【図３５】
0005910198.tif 000036
【図３６】
0005910198.tif 000037
【図３７】
0005910198.tif 000038
【図３８】
0005910198.tif 000039
【図３９】
0005910198.tif 000040
【図４０】
0005910198.tif 000041
【図４１】
0005910198.tif 000042
【図４２】
0005910198.tif 000043
【図４３】
0005910198.tif 000044
【図４４】
0005910198.tif 000045
【図４５】
0005910198.tif 000046
【図４６】
0005910198.tif 000047